(57)【要約】      （修正有）【課題】ユーザの操作に対して応答性の高い動画像表示が可能な携帯情報端末を提供する。【解決手段】インデックス画像が印刷されたカードを収納する収納部を有し、かつカードに記憶されている動作情報に基づいて、インデックス画像に対応する動画像を再生する携帯情報端末１００において、カードの挿入が検出された場合、動画像データ取得部６０４は、その動画像情報に基づいて、通信部６０５を介して、インデックス画像に対応する動画像ファイル中の一部の動画像データを外部端末より先取り受信し、受信した一部の動画像データを動画像データ一時記憶部６０８に記憶する。カード上のインデックス画像に対応する動画像ファイルの再生操作が入力された場合、記憶した該インデックス画像に対応する動画像ファイル中の一部の動画像データを用いて、動画像ファイルの再生表示を行う。【選択図】図３
2004274145.tif 000002
【特許請求の範囲】
【請求項１】
インデックス画像が印刷されたカードを収納する収納部を有し、かつ前記カードに記憶されている動作情報に基づいて、前記インデックス画像に対応する動画像を再生する携帯情報端末であって、
前記収納部に対し、前記カードの挿入の有無を検出する検出手段と、
前記検出手段によって前記カードの挿入が検出された場合、該カードに記憶されている動作情報を読み出す読出手段と、
前記読出手段で読み出した動作情報中の前記インデックス画像に対応する動画像に関する動作情報を抽出する抽出手段と、
前記動画像情報に基づいて、前記インデックス画像に対応する動画像ファイル中の一部の動画像データを外部端末より受信する受信手段と、
前記受信手段で受信した一部の動画像データを記憶する記憶手段と、
前記カードが前記収納部に収納された場合、該カードが入力パネル画面として機能する入力手段と、
前記入力手段によって前記カード上のインデックス画像に対応する動画像ファイルの再生操作が入力された場合、前記記憶手段に記憶されている該インデックス画像に対応する動画像ファイル中の一部の動画像データを用いて、動画像ファイルの再生表示を行う表示手段と
を備えることを特徴とする携帯情報端末。
【発明の詳細な説明】
【０００１】
【発明の属する技術分野】
本発明は、インデックス画像が印刷されたカードを収納する収納部を有し、かつ前記カードに記憶されている動作情報に基づいて、前記インデックス画像に対応する動画像を再生する携帯情報端末に関するものである。
【０００２】
【従来の技術】
従来より、図形、記号、文字列、数字等の画像が印刷されたカードを端末内に挿入して、当該カードに記憶された動作情報に基づいて、静止画像／動画像の表示等の各種処理を実行する携帯情報端末が知られている。
【０００３】
このような携帯情報端末では、例えば、ストリーミング技術を利用して、インターネット、家庭内ＬＡＮ等のネットワークを介して、表示対象の動画像データを取得し表示することが可能である。
【０００４】
しかしながら、トラフィックの高いインターネットや、ノイズの多い環境での無線通信等の安定した通信速度を得られない通信環境で、途切れ無く画像表示を行うためには、動画像データを数秒分取得した後に、表示することが必要となる。そのため、このような通信環境では、動画像データを数秒分取得する時間だけ、その表示（再生）が遅延することになる。
【０００５】
この動画像の再生時の遅延を短くするための技術としては、再生対象のストリーム（動画像）の選択（オープン）時に、そのストリームの一部の先読みを開始する方法（特許文献１）、予め記録再生装置に再生対象の動画像の先頭部分を記憶しておく方法（特許文献２）等が提案されている。
【０００６】
【特許文献１】
特開２０００−０６９４３０
【特許文献２】
特開２０００−１５５６５２
【発明が解決しようとする課題】
上記特許文献１の方法は、ユーザによる再生対象の動画像の指定操作後に先読みを開始するため、その動画像の指定操作後、先読みが完了する程度の時間が経過してから動画像の再生を実行する場合の遅延は改善される。一方、ユーザインタフェースに制約がある携帯情報端末のような端末では、操作工数をより軽減させるために、１操作で複数の処理を実行する、例えば、ペンクリック等の操作で直ちに再生対象の動画像を指定し再生を実行するように構成されている。
【０００７】
そのため、このような携帯情報端末に、特許文献１の方法を適用しても、上述のような遅延を根本的には解決することはできない。
【０００８】
また、上記特許文献２の方法を携帯情報端末に適用した場合には、記憶再生装置に予め記憶されている先頭部分の動画像の読出に係る遅延は改善されるものの、その先頭部分に続く動画像を取得して表示する場合には、上述の遅延がやはり生じてしまう。
【０００９】
本発明は上記の課題を解決するためになされたものであり、ユーザの操作に対して応答性の高い動画像表示が可能な携帯情報端末を提供することを目的とする。
【００１０】
【課題を解決するための手段】
上記の目的を達成するための本発明による情報携帯端末は以下の構成を備える。即ち、
インデックス画像が印刷されたカードを収納する収納部を有し、かつ前記カードに記憶されている動作情報に基づいて、前記インデックス画像に対応する動画像を再生する携帯情報端末であって、
前記収納部に対し、前記カードの挿入の有無を検出する検出手段と、
前記検出手段によって前記カードの挿入が検出された場合、該カードに記憶されている動作情報を読み出す読出手段と、
前記読出手段で読み出した動作情報中の前記インデックス画像に対応する動画像に関する動作情報を抽出する抽出手段と、
前記動画像情報に基づいて、前記インデックス画像に対応する動画像ファイル中の一部の動画像データを外部端末より受信する受信手段と、
前記受信手段で受信した一部の動画像データを記憶する記憶手段と、
前記カードが前記収納部に収納された場合、該カードが入力パネル画面として機能する入力手段と、
前記入力手段によって前記カード上のインデックス画像に対応する動画像ファイルの再生操作が入力された場合、前記記憶手段に記憶されている該インデックス画像に対応する動画像ファイル中の一部の動画像データを用いて、動画像ファイルの再生表示を行う表示手段と
を備える。
【００１１】
【発明の実施の形態】
以下、本発明の実施の形態について図面を用いて詳細に説明する。
【００１２】
＜実施形態１＞
図１は本発明の実施形態１の携帯情報端末の概要を示す図である。
【００１３】
図１において、１００はＰＤＡや携帯電話等の携帯情報端末である。１０１は液晶ディスプレイ等の表示画面である。１０２は透過性のあるペン入力パネルである。１１０はカードであり、その表面には、図形、記号、文字列、数字等のインデックス画像が所定サイズの各矩形エリアに印刷されている。また、カード１１０の裏面あるいはその内部には、インデックス画像それぞれに対応する携帯情報端末１００の動作を制御する動作情報が記憶されている。
【００１４】
１２０はペン入力パネル１０２に対するペン入力用のペンである。ペン１０２による操作としては、例えば、ペンクリック操作、ドラッグ操作、タッピング操作等の汎用的なペンによる操作が可能である。
【００１５】
尚、ペン入力パネル１０２の配下には、カード１１０を収納する収納部（不図示）が構成されている。ペン入力パネル１０２は、透過性のあるパネルであるため、カード１１０がこの収納部に収納されると、このカード１１０上に印刷されているインデックス画像群をペン入力パネル１０２を介して視認することができる。つまり、カード１１０は、ペン入力パネル１０２のパネル画面として機能する。
【００１６】
そして、携帯情報端末１００は、カード１１０がこの収納部に収納されると、カード１１０に記憶された携帯情報端末１００の動作情報を読み出し、内部のメモリに記憶する。この状態で、ペン１２０で、ペン入力パネル１０２を介して表示されているカード１１０上の任意のインデックス画像をクリックすると、そのインデックス画像に対応した動作、例えば、そのインデックス画像に対応した動画像を読み出して、表示画面１０１で再生することができる。
【００１７】
尚、携帯情報端末１００は、汎用コンピュータに搭載される標準的な構成要素（例えば、ＣＰＵ、ＲＡＭ、ＲＯＭ、ハードディスク、外部記憶装置、ネットワークインタフェース、ディスプレイ等）を有している。
【００１８】
次に、カード１１０上に動作情報を記憶する記憶形態例について、図２を用いて説明する。
【００１９】
図２は本発明の実施形態１のカードに動作情報を記憶する記憶形態例を示す図である。
【００２０】
カード１１０上に動作情報を記憶する記憶形態としては、いくつかの種類を採用でき、特に、図２では、記憶形態の種類として３種類を示している。図２において、２０１はバーコード、２０２は磁気テープ、２０３はメモリで、それぞれ動作情報を記憶した例を示している。一方、携帯情報端末１００には、利用するカード１１０上の動作情報の記憶形態に合わせた読取器（バーコード読取器、磁気テープ読取器、メモリ読取器）が設けられている。
【００２１】
尚、このカード１１０の表面へのインデックス画像の印刷や動作情報の記憶は、プリンタ機能とデータ書込機能を有する専用装置を用いて実現されるものである。
【００２２】
次に、携帯情報端末１００の機能構成について、図３を用いて説明する。
【００２３】
図３は本発明の実施形態１の携帯情報端末の機能構成を示すブロック図である。
【００２４】
図３の携帯情報端末１００において、６０１はカード検出部であり、カード１１０の挿入／抜取の有無を検出する。このカード検出部６０１は、例えば、スイッチ、読取器等で実現される。６０２は動作情報読取部であり、カード１１０に記憶された動作情報を読み取る。この動作情報読取部６０２は、例えば、カード１１０の動作情報の記憶形態に応じて、バーコード読取器、磁気テープ読取器、メモリ読取器等で実現される。
【００２５】
６０３は動画像再生情報抽出部であり、動作情報読取部６０２から得られる動作情報から動画像の再生動作を指定する動画像再生情報を抽出する。６０６はペン入力部であり、ペン入力パネル１０２を介してカード１１０に対する操作を検出する。６０７は動画像再生操作検出部であり、動作情報読取部６０２から得られる動作情報とペン入力検出部６０６から得られるペン入力情報に基づいて、動画像再生操作を検出する。
【００２６】
６０５は通信部であり、ネットワークを介してデータの送受信を行う。この通信部６０５は、例えば、無線通信モジュール、ＬＡＮコントローラ、データモデム等で実現される。６０４は動画像データ取得部であり、動画像再生操作検出部６０７からの指示又は動画像再生情報抽出部６０３からの指示に基づいて、通信部６０５を介して、外部端末（Ｗｅｂサーバ、データベースサーバ、アプリケーションサーバ、ファイルサーバ等）で管理される動画像データを取得（受信）する。
【００２７】
６０８は動画像データ一時記憶部であり、動画像データ取得部６０４により取得された動画像データを一時保存する。この動画像データ一時記憶部６０８は、例えば、ＲＡＭ、ハードディスク等で実現される。また、この動画像データ一時記憶部６０８の記憶容量は、通常、所定時間分（例えば、３分）の動画像データを記憶する容量を有している。
【００２８】
６０９は動画像画面表示部であり、動画像再生操作検出部６０７による動画像再生操作の検出情報に基づいて、動画像データ一時記憶部６０８から動画像データを取得し、動画像を表示画面１０１に表示する。
【００２９】
このような構成において、カード検出部６０１によりカード１１０の挿入が検出されると、動作情報読取部６０２はカード１１０に記憶された動作情報を読み取る。次に、その動作情報から動画像再生情報抽出部６０３は動画像再生情報を抽出する。次に、その動画像再生情報に基づいて、動画像データ取得部６０４が通信部６０５を介して動画像データを取得して、動画像データ一時記憶部６０８に記憶する。
【００３０】
そして、動画像再生操作検出部６０７がペン入力検出部６０６を介して動画像再生操作を検出すると、動画像画面表示部６０９は動画像データ一時記憶部６０８から動画像データを取得して表示画面１０１に表示（再生）する一方で、動画像データ取得部６０４が通信部６０５を介して未表示（未再生）分の動画像データを取得して、動画像データ一時記憶部６０８に記憶する。
【００３１】
次に、カード１１０に記憶される動作情報の一例について、図４を用いて説明する。
【００３２】
図４は本発明の実施形態１の動作情報の例を示す図である。
【００３３】
尚、図４では、図１の矩形エリア１１０ａに印刷されているインデックス画像に対応する動作情報の例として説明する。また、図１では、インデックス画像は８つ存在するので、カード１１０には、その８つのインデック画像に対応する動作情報が記憶されている。
【００３４】
図４において、９００は動作情報全体である。９０１は動作情報９００に含まれる動作情報の総数である。９０２−１は動作情報を示す記述の一部であり、ここでは、矩形エリア１１０ａ内の任意の位置でのペン１０２のクリック操作によって、その矩形エリア１１０ａ上のインデックス画像に対応する動画像を再生する動作情報の一例を示している。
【００３５】
９０３−１は矩形エリア１１０ａに関する矩形エリア情報である。９０４−１は矩形エリア１１０ａのカード１１０上の位置を決定するための基準点（基準座標）を示す基準点情報である。９０５−１は基準点のｘ座標を示すｘ座標情報である。９０６−１は基準点のｙ座標を示すｙ座標情報である。
【００３６】
ここで、基準点の座標系であるｘ軸及びｙ軸はそれぞれ、図１のカード１１０の長手方向及び短手方向に対応し、その原点（０，０）は図１のカード１１０の左下角であるとする。
【００３７】
９０７−１は矩形エリア１１０ａのサイズを示すサイズ情報である。９０８−１は矩形エリア１１０ａのｘ軸方向のサイズを示すサイズ情報である。９０９−１は矩形エリア１１０ａのｙ軸方向のサイズを示す情報である。
【００３８】
９１０−１はインデックス画像に対応する動画像に関するビデオファイル情報（動画像ファイル）である。９１１−１は動画像ファイルの保存場所を示す位置情報である。９１２−１は動画像ファイルの名前を示す名前情報である。
【００３９】
尚、動画像ファイルの保存場所を示す位置情報としては、例えば、動画像ファイルがネットワーク上にあるＷｅｂサーバで管理されている場合にはその管理先を示すＵＲＬであったり、ネットワーク上のファイルサーバで管理されている場合にはその管理先を示すパスが位置情報となる。
【００４０】
９１３−１は矩形エリア１１０ａでの操作入力に対するエリア別動作情報である。９１４−１は矩形エリア１１０ａ上でのペンクリック操作に基づく動作を規定する記述を示す動作詳細情報であり、ここでは、その動作詳細情報として、動画像再生を示す動画像再生情報となっている。
【００４１】
そして、動画像再生情報抽出部６０３は、カード１１０からエリア別動作情報９１３−１を読み出して、そのエリア別動作情報９１３−１中の動作詳細情報９１４−１が動画像再生情報であるか否かを判定する。換言すれば、動画像再生情報となっている動作詳細情報をエリア別動作情報９１３−１から検索する。
【００４２】
ここで、特に、動画像再生情報が検索される場合には、対応するビデオファイル情報９１０−１を抽出して、メモリに記憶する。そして、動画像データ取得部６０４は、そのビデオファイル情報９１０−１をメモリから読み出し、その中の位置情報９１１−１及び名前情報９１２−１に基づいて、処理対象の動画像データを取得する。
【００４３】
次に、携帯情報端末の動作について、図５を用いて説明する。
【００４４】
図５は本発明の実施形態１の携帯情報端末の動作を示すフローチャートである。
【００４５】
まず、カード検出部６０１によりカード１１０の挿入の検出の有無を判定する。カード検出部６０１によりカード１１０の挿入が検出されると（ステップＳ７０１でＹＥＳ）、動作情報読取部６０２により動作情報を読み取る（ステップＳ７０２）。次に、動画像再生情報抽出部６０３により、その動作情報からエリア別動作情報を抽出する（ステップＳ７０３）。
【００４６】
次に、エリア別動作情報中の動作詳細情報内において、動画像再生情報の有無を判定する（ステップＳ７０４）。動画像再生情報がない場合（ステップＳ７０４でＮＯ）、動作情報に基づいたユーザインタフェース処理を実行する（ステップＳ７０６）。一方、動画像再生情報がある場合（ステップＳ７０４でＹＥＳ）、その動画像再生情報に基づいて、動画像データ先読み処理を実行する（ステップＳ７０５）。その後、動作情報に基づいたユーザインタフェース処理を実行する（ステップＳ７０６）。
【００４７】
一方、カード検出部６０１によりカード１１０の挿入が検出されない場合（ステップＳ７０１でＮＯ）、またはユーザインタフェース処理（ステップＳ７０６）の終了後は、ステップＳ７０１に戻る。
【００４８】
尚、図５では、ステップＳ７０２において、カード１１０の挿入が検出された後に、動作情報読取部６０２がカード１１０上の動作情報を読み取る構成としているが、カード１１０の挿入時に動作情報を読み取る構成であっても良い。
【００４９】
次に、図５のステップＳ７０６のユーザインタフェース処理の詳細について、図６を用いて説明する。
【００５０】
図６は本発明の実施形態１のユーザインタフェース処理の詳細を示すフローチャートである。
【００５１】
尚、図６の処理において、図５のステップＳ７０５の動画像データ先読み開始処理が実行されている場合には、ステップＳ５０２〜ステップＳ５０４の処理はスキップされる。
【００５２】
まず、ペン入力検出部６０６から得られるペン入力情報と動作情報読取部６０２から得られる動作情報に基づいて、動画像再生操作の有無を判定する（ステップＳ５０１）。動画像再生操作である場合（ステップＳ５０１でＹＥＳ）、動画像データ取得部６０４は、通信部６０５を介して動作情報に対応する動画像データを取得する（ステップＳ５０２）。次に、取得した動画像データを動画像データ一時記憶部６０８に一時記憶する（ステップＳ５０３）。
【００５３】
尚、この動画像データの取得は、汎用的なストリーミング技術を利用しており、例えば、取得対象の動画像データ（動画像ファイル）を所定単位（パケット単位、フレーム単位、フィールド単位等）で取得する。
【００５４】
また、動画像データ先読み処理が実行されていない場合の動画像再生操作直後は、動画像データ一時記憶部６０８には、取得対象の動画像データが記憶されていないため、所定単位での動画像データの取得（ステップＳ５０２）と一時記憶（ステップＳ５０３）を繰り返し、所定量（例えば、１０秒）の動画像データの動画像データ一時記憶部６０８への記憶が完了しているか否かを判定する（ステップＳ５０４）。
【００５５】
所定量の動画像データの記憶が完了した場合（ステップＳ５０４でＹＥＳ）、動画像画面表示部６０９により、その取得した動画像データを表示画面１０１で再生する（ステップＳ５０５）。
【００５６】
尚、再生が完了した動画像データは動画像データ一時記憶部６０８から随時消去し、未再生分の動画像データを取得して記憶するための記憶領域を動画像データ一時記憶部６０８に確保する。
【００５７】
次に、動画像データの再生が終了しているか否かを判定する（ステップＳ５０６）。つまり、未再生の動画像データが存在するか否かを判定する。動画像データが終了していない場合（ステップＳ５０６でＮＯ）、未再生分の動画像データを再生するために、ステップＳ５０２に戻り、動画像データの取得（ステップＳ５０２）、一時記憶（ステップＳ５０３）、画面表示（ステップＳ５０５）を繰り返し実行する。そして、動画像データの再生が終了した場合（ステップＳ５０６でＹＥＳ）、ステップＳ５０１に戻る。
【００５８】
一方、ステップＳ５０１において、動画像再生操作がない場合（ステップＳ５０１でＮＯ）、カード検出部６０１によりカード１１０の抜取の検出の有無を判定する（ステップＳ５０７）。カード１１０の抜取が検出されない場合（ステップＳ５０７でＮＯ）、ステップＳ５０１に戻る。一方、カード１１０の抜取が検出された場合（ステップＳ５０７でＹＥＳ）、ユーザインタフェース処理を終了する。
【００５９】
次に、図５のステップＳ７０５の動画像データ先読み処理の詳細について、図７を用いて説明する。
【００６０】
図７は本発明の実施形態１の動画像データ先読み処理の詳細を示すフローチャートである。
【００６１】
まず、抽出された動画像再生情報に対応する動画像情報（動画像の位置情報と名前情報）を読み出す（ステップＳ８０１）。次に、動画像情報の読出が終了しているか否かを判定する（ステップＳ８０２）。つまり、未読出の動画像情報が存在するか否かを判定する。未読出の動画像情報が存在しない場合（ステップＳ８０２でＹＥＳ）、動画像データ先読み処理を終了する。
【００６２】
一方、未読出の動画像情報が存在する場合（ステップＳ８０２でＮＯ）、動画像情報に対応する動画像データを動画像データ取得部６０４により所定単位分取得する（ステップＳ８０３）。次に、その取得した動画像データを動画像データ一時記憶部６０８に一時記憶する（ステップＳ８０４）。
【００６３】
次に、所定量（例えば、１０秒）の動画像データの記憶が完了しているか否かを判定する（ステップＳ８０５）。記憶が完了していない場合（ステップＳ８０５でＮＯ）、所定量の動画像データの動画像データ一時記憶部６０８への記憶が完了するまで、所定単位毎の動画像データの取得（ステップＳ８０３）、一時記憶（ステップＳ８０４）を繰り返す。そして、所定量の動画像データの動画像データ一時記憶部６０８への記憶が完了した場合（ステップＳ８０５でＹＥＳ）、ステップＳ８０１に戻り、次の動画像再生情報に対応する動画像情報を読み出し、すべての動画像情報の読出が終了するまで、ステップＳ８０１〜ステップＳ８０５の処理を繰り返す。
【００６４】
以上説明したように、実施形態１によれば、カード１１０が挿入された時点で、携帯情報端末１００は、カード１１０上に記憶されている動作情報に基づいて、カード１１０に印刷されているインデックス画像に対応する所定量分の動画像データを取得して動画像データ一時記憶部６０８に記憶しておく。これにより、ユーザの実際のインデックス画像に対する操作を検出後、直ちに対応する動画像データを動画像データ一時記憶部６０８より取得して再生することができ、ユーザの操作に対して応答性の高い動画像表示が可能となる。
【００６５】
＜実施形態２＞
実施形態１の動作情報では、再生対象の動画像に関する動画像情報として、その位置情報と名前情報を管理している構成を示しているが、用途や目的に応じては、動画像ファイルの途中のシーンから再生を行いたい場合がある。そこで、実施形態２では、動画像情報として、動画像の位置情報と名前情報に加えて、その再生開始位置（時間、フレーム等で規定される位置）を示す再生開始位置情報を管理する構成について説明する。
【００６６】
図８は本発明の実施形態２の動作情報の例を示す図である。
【００６７】
尚、図８では、実施形態１の図４と同じ構成要素については、同じ参照番号を付加し、その詳細については省略する。
【００６８】
特に、実施形態２では、実施形態１の図４の動作情報に対し、動画像ファイルの再生開始位置を規定する再生開始位置情報１１１３−１を構成している。
【００６９】
この場合、動画像再生情報抽出部６０３は、カード１１０からエリア別動作情報９１３−１を読み出して、その動作情報９１３−１中の動作詳細情報が動画像再生情報であるか否かを判定する。換言すれば、動画像再生情報となっている動作詳細情報を動作情報９１３−１から検索する。
【００７０】
ここで、特に、動画像再生情報９１４−１が検索される場合には、対応するビデオファイル情報９１０−１を抽出して、メモリに記憶する。そして、動画像データ取得部６０４は、そのビデオファイル情報９１０−１をメモリから読み出し、位置情報９１１−１、名前情報９１２−１及び再生開始位置情報１１１３−１に基づいて、処理対象の動画像データを取得する。
【００７１】
次に、動作情報が図８に示すような構成である場合の動画像データ先読み処理の詳細について、図９を用いて説明する。
【００７２】
図９は本発明の実施形態２の動画像データ先読み処理の詳細を示すフローチャートである。
【００７３】
まず、抽出された動画像再生情報に対応する動画像情報（動画像の位置情報、名前情報及び再生開始位置情報）を読み出す（ステップＳ１００１）。次に、動画像情報が終了しているか否かを判定する（ステップＳ１００２）。つまり、未読出の動画像情報が存在するか否かを判定する。未読出の動画像情報が存在しない場合（ステップＳ１００２でＹＥＳ）、動画像データ先読み処理を終了する。
【００７４】
一方、未読出の動画像情報が存在する場合（ステップＳ１００２でＮＯ）、動画像データ取得部６０４は、再生開始位置情報で指定される指定位置まで動画像データを早送り（指定位置に対応する動画像データを動画像データ取得位置に設定）する（ステップＳ１００３）。
【００７５】
次に、指定位置に対応する動画像データを取得する（ステップＳ１００４）。次に、その取得した動画像データを動画像データ一時記憶部６０８に一時記憶する（ステップＳ１００５）。
【００７６】
次に、所定量（例えば、６０秒分）の動画像データの記憶が完了しているか否かを判定する（ステップＳ１００６）。記憶が完了していない場合（ステップＳ１００６でＮＯ）、所定量の動画像データの動画像データ一時記憶部６０８への記憶が完了するまで、所定単位毎の動画像データの取得（ステップＳ１００４）、一時記憶（ステップＳ１００５）を繰り返す。そして、所定量の動画像データの動画像データ一時記憶部６０８への記憶が完了した場合（ステップＳ１００６でＹＥＳ）、ステップＳ１００１に戻り、次に動画像再生情報に対応する動画像情報を読み出し、すべての動画像情報の読出が終了するまで、ステップＳ１００１〜ステップＳ１００６の処理を繰り返す。
【００７７】
以上説明したように、実施形態２によれば、動画像ファイルの途中のシーンから再生する場合でも、実施形態１と同様の効果を得ることができる。
【００７８】
以上説明した携帯情報端末は、その機能をコンピュータが実現する手順としての方法の発明として捉えることができる。また、コンピュータにより実現できるわけであるから、本発明はコンピュータで実行されるコンピュータプログラム、更には、そのコンピュータプログラムを格納し、コンピュータが読み込めるＣＤ−ＲＯＭ等のコンピュータ可読記憶媒体にも適用できるのは明らかであろう。
【００７９】
従って、上記実施形態１、２に係る実施態様を列挙すると、次の通りである。すなわち、携帯情報装置及びその制御方法、プログラム、情報処理装置及びその制御方法、プログラムは、次のようになる。
【００８０】
＜実施態様１＞  インデックス画像が印刷されたカードを収納する収納部を有し、かつ前記カードに記憶されている動作情報に基づいて、前記インデックス画像に対応する動画像を再生する携帯情報端末であって、
前記収納部に対し、前記カードの挿入の有無を検出する検出手段と、
前記検出手段によって前記カードの挿入が検出された場合、該カードに記憶されている動作情報を読み出す読出手段と、
前記読出手段で読み出した動作情報中の前記インデックス画像に対応する動画像に関する動作情報を抽出する抽出手段と、
前記動画像情報に基づいて、前記インデックス画像に対応する動画像ファイル中の一部の動画像データを外部端末より受信する受信手段と、
前記受信手段で受信した一部の動画像データを記憶する記憶手段と、
前記カードが前記収納部に収納された場合、該カードが入力パネル画面として機能する入力手段と、
前記入力手段によって前記カード上のインデックス画像に対応する動画像ファイルの再生操作が入力された場合、前記記憶手段に記憶されている該インデックス画像に対応する動画像ファイル中の一部の動画像データを用いて、動画像ファイルの再生表示を行う表示手段と
を備えることを特徴とする携帯情報端末。
【００８１】
＜実施態様２＞  前記動画像情報は、前記インデックス画像に対応する動画像ファイルのファイル名を示す情報である
ことを特徴とする実施態様１に記載の携帯情報端末。
【００８２】
＜実施態様３＞  前記動画像情報は、前記インデックス画像に対応する動画像ファイルの保存場所を示す情報である
ことを特徴とする実施態様１に記載の携帯情報端末。
【００８３】
＜実施態様４＞  前記動画像情報は、前記インデックス画像に対応する動画像ファイルの再生開始位置を示す情報である
ことを特徴とする実施態様１に記載の携帯情報端末。
【００８４】
＜実施態様５＞  インデックス画像が印刷されたカードを収納する収納部を有し、かつ前記カードに記憶されている動作情報に基づいて、前記インデックス画像に対応する動画像を再生する携帯情報端末の制御方法であって、
前記収納部に対し、前記カードの挿入の有無を検出する検出工程と、
前記検出工程によって前記カードの挿入が検出された場合、該カードに記憶されている動作情報を読み出す読出工程と、
前記読出工程で読み出した動作情報中の前記インデックス画像に対応する動画像に関する動作情報を抽出する抽出工程と、
前記動画像情報に基づいて、前記インデックス画像に対応する動画像ファイル中の一部の動画像データを外部端末より受信する受信工程と、
前記受信工程で受信した一部の動画像データを記憶媒体に記憶する記憶工程と、
前記カードが前記収納部に収納された場合、該カードが入力パネル画面として機能する入力部によって前記カード上のインデックス画像に対応する動画像ファイルの再生操作が入力された場合、前記記憶工程に記憶されている該インデックス画像に対応する動画像ファイル中の一部の動画像データを用いて、動画像ファイルの再生表示を行う表示工程と
を備えることを特徴とする携帯情報端末の制御方法。
【００８５】
＜実施態様６＞  インデックス画像が印刷されたカードを収納する収納部を有し、かつ前記カードに記憶されている動作情報に基づいて、前記インデックス画像に対応する動画像を再生する携帯情報端末の制御を実現するプログラムであって、
前記収納部に対し、前記カードの挿入の有無を検出する検出工程のプログラムコードと、
前記検出工程によって前記カードの挿入が検出された場合、該カードに記憶されている動作情報を読み出す読出工程のプログラムコードと、
前記読出工程で読み出した動作情報中の前記インデックス画像に対応する動画像に関する動作情報を抽出する抽出工程のプログラムコードと、
前記動画像情報に基づいて、前記インデックス画像に対応する動画像ファイル中の一部の動画像データを外部端末より受信する受信工程のプログラムコードと、
前記受信工程で受信した一部の動画像データを記憶媒体に記憶する記憶工程のプログラムコードと、
前記カードが前記収納部に収納された場合、該カードが入力パネル画面として機能する入力部によって前記カード上のインデックス画像に対応する動画像ファイルの再生操作が入力された場合、前記記憶工程に記憶されている該インデックス画像に対応する動画像ファイル中の一部の動画像データを用いて、動画像ファイルの再生表示を行う表示工程のプログラムコードと
を備えることを特徴とするプログラム。
【００８６】
以上、実施形態例を詳述したが、本発明は、例えば、システム、装置、方法、プログラムもしくは記憶媒体等としての実施態様をとることが可能であり、具体的には、複数の機器から構成されるシステムに適用しても良いし、また、一つの機器からなる装置に適用しても良い。
【００８７】
尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【００８８】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００８９】
その場合、プログラムの機能を有していれば、オブジェクトコード、インタプリタにより実行されるプログラム、ＯＳに供給するスクリプトデータ等の形態であっても良い。
【００９０】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００９１】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００９２】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００９３】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００９４】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【００９５】
【発明の効果】
以上説明したように、本発明によれば、ユーザの操作に対して応答性の高い動画像表示が可能な携帯情報端末を提供できる。
【図面の簡単な説明】
【図１】本発明の実施形態１の携帯情報端末の概要を示す図である。
【図２】本発明の実施形態１のカードに動作情報を記憶する記憶形態例を示す図である。
【図３】本発明の実施形態１の携帯情報端末の機能構成を示すブロック図である。
【図４】本発明の実施形態１の動作情報の例を示す図である。
【図５】本発明の実施形態１の携帯情報端末の動作を示すフローチャートである。
【図６】本発明の実施形態１のユーザインタフェース処理の詳細を示すフローチャートである。
【図７】本発明の実施形態１の動画像データ先読み処理の詳細を示すフローチャートである。
【図８】本発明の実施形態２の動作情報の例を示す図である。
【図９】本発明の実施形態２の動画像データ先読み処理の詳細を示すフローチャートである。
【符号の説明】
１００  携帯情報端末
１０１  表示画面
１０２  ペン入力パネル
１１０  カード
６０１  カード検出部
６０２  動作情報読取部
６０３  動画像像情報抽出部
６０４  動画像データ取得部
６０５  通信部
６０６  ペン入力検出部
６０７  動画像再生操作検出部
６０８  動画像データ一時記憶部
６０９  動画像画面表示部
【図１】
2004274145.tif 000003
【図２】
2004274145.tif 000004
【図３】
2004274145.tif 000005
【図４】
2004274145.tif 000006
【図５】
2004274145.tif 000007
【図６】
2004274145.tif 000008
【図７】
2004274145.tif 000009
【図８】
2004274145.tif 000010
【図９】
2004274145.tif 000011